(57)【要約】【課題】ユーザへ燃料油の販売単価を提供する燃料油の販売単価提供システムを提供する。【解決手段】システム１は、燃料油を提供するサービスステーションに設置されているＰＯＳ端末５０から、または単価設定部４０から、サービスステーションの識別情報と、燃料油の販売単価と、を取得する単価取得部１１と、単価取得部１１が取得したサービスステーションの識別情報と販売単価を記録する記録部３０と、ユーザ端末２０から、販売単価の提供を受けたいサービスステーションを示す指定サービスステーションを特定可能な情報を取得する指定ＳＳ取得部１２と、記録部３０から、指定ＳＳ取得部が取得した特定の指定サービスステーションに対応する販売単価を特定しユーザ端末へ送信する単価送信部１３と、を備える。【選択図】図１
2020181432.tif 000002
【特許請求の範囲】
【請求項１】
ユーザへ燃料油の販売単価を提供するシステムであって、
燃料油を提供するサービスステーションに設置されているＰＯＳ端末から、または前記ＰＯＳ端末に燃料油の単価を設定する単価設定部から、前記サービスステーションの識別情報と、燃料油の販売単価と、を取得する単価取得部と、
前記単価取得部が取得した前記サービスステーションの識別情報と前記販売単価を記録する記録部と、
ユーザ端末から、前記販売単価の提供を受けたい前記サービスステーションを示す指定サービスステーションを特定可能な情報を取得する指定ＳＳ取得部と、
前記記録部から、前記指定ＳＳ取得部が取得した特定の前記指定サービスステーションに対応する前記販売単価を特定し前記ユーザ端末へ送信する単価送信部と、を備える燃料油の販売単価提供システム。
【請求項２】
前記指定ＳＳ取得部は、前記ユーザ端末から、ユーザに選択されたサービスステーションを示す指定サービスステーションの識別情報を取得する、請求項１に記載の燃料油の販売単価提供システム。
【請求項３】
前記指定ＳＳ取得部は、前記ユーザ端末から、前記ユーザ端末の現在位置、または、前記ユーザ端末の現在位置から所定距離以内に属する一つ以上のサービスステーションを示す指定サービスステーションの識別情報を取得する、請求項１に記載の燃料油の販売単価提供システム。
【請求項４】
前記指定ＳＳ取得部は、一つ以上の前記指定サービスステーションの識別情報を取得し、
前記単価送信部は、前記指定サービスステーションで設定されている最も安い前記販売単価を特定し、最も安い前記販売単価が設定されている前記サービスステーションの識別情報と前記販売単価を、前記ユーザ端末へ送信する、請求項１に記載の燃料油の販売単価提供システム。
【請求項５】
前記単価取得部は、所定時間間隔で、前記ＰＯＳ端末または単価設定部から前記サービスステーションの識別情報と前記販売単価とを取得する、請求項１に記載の燃料油の販売単価提供システム。
【請求項６】
前記記録部は、前記サービスステーションの識別情報と前記販売単価を取得した取得日時または前記販売単価が適用された適用日時とともに、前記サービスステーションの識別情報と前記販売単価とを記録し、
前記単価送信部は、前記取得日時または前記適用日時とともに前記販売単価を前記ユーザ端末に送信する、請求項１に記載の燃料油の販売単価提供システム。
【請求項７】
ユーザへ燃料油の販売単価を提供する方法であって、
燃料油を提供するサービスステーションに設置されているＰＯＳ端末から、または前記ＰＯＳ端末に燃料油の販売単価を設定する販売単価設定部から、前記サービスステーションの識別情報と、燃料油の販売単価と、を取得し、
前記サービスステーションの識別情報と前記販売単価をデータベースに記録し、
ユーザ端末から、前記販売単価の提供を受けたい前記サービスステーションを示す指定サービスステーションの識別情報を取得し、
前記データベースから、取得した前記指定サービスステーションの識別情報に対応する前記販売単価を特定し前記ユーザ端末へ送信する、燃料油の販売単価提供方法。
【請求項８】
書き換え可能な記録部を有する、燃料油を提供するサービスステーションに設置されるＰＯＳ端末であって、
前記記録部には、前記ＰＯＳ端末が設置されたサービスステーションの識別情報と、燃料油の販売単価と、が記録されており、
前記記録部に記録されている前記サービスステーションの識別情報と前記販売単価とを外部サーバへ送信する通信部を有する、ＰＯＳ端末。
【発明の詳細な説明】
【技術分野】
【０００１】
本発明は、燃料油の販売単価提供システム、方法、それに用いられるＰＯＳ端末に関する。
【背景技術】
【０００２】
石油の元売り会社は、燃料油をユーザへ提供するサービスステーションに燃料油を卸売している。サービスステーションが販売単価を設定し、ユーザへ燃料油を提供している。
【先行技術文献】
【特許文献】
【０００３】
【特許文献１】特開２００３−２８１２６５
【発明の概要】
【発明が解決しようとする課題】
【０００４】
サービスステーションは、そのときの燃料油の卸売単価の他に、客を集めるための特売などに応じて販売単価を変動させている。このため、ユーザは、あるサービスステーションの販売単価を知りたい場合には、実際にサービスステーションへ行って店頭で販売単価を確認するくらいしか、燃料油の販売価格を知ることができなかった。
そこで本発明は、ユーザへ燃料油の販売単価を提供する燃料油の販売単価提供システムおよびその方法、該システムおよび方法に用いられるＰＯＳ端末を提供することを目的とする。
【課題を解決するための手段】
【０００５】
上記目的を達成するために、本発明の燃料油の販売単価提供システムは、
ユーザへ燃料油の販売単価を提供するシステムであって、
燃料油を提供するサービスステーションに設置されているＰＯＳ端末から、または前記ＰＯＳ端末に燃料油の単価を設定する単価設定部から、前記サービスステーションの識別情報と、燃料油の販売単価と、を取得する単価取得部と、
前記単価取得部が取得した前記サービスステーションの識別情報と前記販売単価を記録する記録部と、
ユーザ端末から、前記販売単価の提供を受けたい前記サービスステーションを示す指定サービスステーションを特定可能な情報を取得する指定ＳＳ取得部と、
前記記録部から、前記指定ＳＳ取得部が取得した特定の前記指定サービスステーションに対応する前記販売単価を特定し前記ユーザ端末へ送信する単価送信部と、を備える燃料油の販売単価提供システム。
【０００６】
上記目的を達成するために、本発明の燃料油の販売単価提供方法は、
ユーザへ燃料油の販売単価を提供する方法であって、
燃料油を提供するサービスステーションに設置されているＰＯＳ端末から、または前記ＰＯＳ端末に燃料油の販売単価を設定する販売単価設定部から、前記サービスステーションの識別情報と、燃料油の販売単価と、を取得し、
取得した前記サービスステーションの識別情報と前記販売単価をデータベースに記録し、
ユーザ端末から、前記販売単価の提供を受けたい前記サービスステーションを示す指定サービスステーションの識別情報を取得し、
前記データベースから、取得した前記指定サービスステーションの識別情報に対応する前記販売単価を特定し前記ユーザ端末へ送信する。
【０００７】
上記目的を達成するために、本発明のＰＯＳ端末は、
書き換え可能な記録部を有する、燃料油を提供するサービスステーションに設置されるＰＯＳ端末であって、
前記記録部には、前記ＰＯＳ端末が設置されたサービスステーションの識別情報と、燃料油の販売単価と、が記録されており、
前記記録部に記録されている前記サービスステーションの識別情報と前記販売単価とを外部サーバへ送信する通信部を有する。
【発明の効果】
【０００８】
本発明によれば、ユーザへ燃料油の販売単価を提供する燃料油の販売単価提供システムおよびその方法、該システムおよび方法に用いられるＰＯＳ端末が提供される。
【図面の簡単な説明】
【０００９】
【図１】本発明の実施形態に係る燃料油の販売単価提供システムの全体構成図である。
【図２】単価設定機に入力されるデータの一例である。
【図３】メインサーバおよびデータサーバのブロック図である。
【図４】メインサーバが実行する販売単価データベースの更新処理のフローチャートである。
【図５】販売単価データベースの一例である。
【図６】変更予約データベースの一例である。
【図７】メインサーバが実行する予約変更処理のフローチャートである。
【図８】本発明の変形例に係る燃料油の販売単価提供システムの全体構成図である。
【発明を実施するための形態】
【００１０】
図１は、本発明の実施形態に係る燃料油の販売単価提供システム１（以降、単にシステム１と呼ぶ）の全体構成図である。システム１は、定期的または不定期的に、ＰＯＳ端末５０またはＰＯＳ端末５０に販売単価を設定する単価設定部４０から、サービスステーションの識別情報および販売単価を取得し、販売単価データベースを更新する。システム１は、このようにして更新される販売単価データベースを用いて、ユーザ端末２０へ最新の正確な販売単価を提供する。
【００１１】
図１に示したように、システム１は、メインサーバ１０と、各種データベースを記録するデータサーバ３０と、サービスステーション（以降、単にＳＳとも呼ぶ）に設置された複数のＰＯＳ端末５０と、ＳＳに設置されておりＰＯＳ端末５０に燃料油の販売単価を設定する単価設定部４０と、ユーザ端末２０から構成されている。
【００１２】
メインサーバ１０は、ネットワークを介してユーザの操作するユーザ端末２０と接続されている。ユーザ端末２０は、表示装置を一体又は別体に有している。ユーザ端末２０は、ユーザが所有するコンピュータ、タブレット端末、携帯電話などの情報処理機器である。また、ユーザ端末２０は、ユーザが所有しない情報処理機器であってもよい。例えばユーザがログインした情報処理機器であってもよい。情報処理機器は、プロセッサと、コンピュータ可読命令を記憶する記憶部と、表示装置を有する。
【００１３】
メインサーバ１０は単一のサーバで構成してもよいし、複数台のサーバで構成してもよい。メインサーバ１０は、プロセッサと、コンピュータ可読命令を記憶する記憶部で構成されている。プロセッサは、記憶部に記憶されたコンピュータ可読命令を読み出し、以下に詳述する方法を実行する。
【００１４】
データサーバ３０（記録部）は、ハードディスクなどの記録装置で構成されている。データサーバ３０には、販売単価データベース、変更予約データベースといった各種データベースが記録される。データベースについては後述する。データサーバ３０はメインサーバ１０と一体であってもよい。
【００１５】
メインサーバ１０は、複数の単価設定部４０に、ネットワークを介して通信可能に接続されている。単価設定部４０は１つのＳＳに１つ設置されている。単価設定部４０は、単価設定部４０が設置されているＳＳ内の複数のＰＯＳ端末５０の燃料油の販売単価を設定する。メインサーバ１０は、複数のＳＳの単価設定部４０に通信可能に接続されている。
【００１６】
ＰＯＳ端末５０は、燃料油の計量機と接続されている。計量機は、燃料油を吐出する吐出機構と、吐出させた燃料油の分量を測定する計量部を備えている。
ＰＯＳ端末５０は、記録部と、供給量取得部と、販売代金算出部と、表示部と、支払い処理部と、印刷部と、通信部を備えている。ＰＯＳ端末５０の供給量取得部は、計量機から燃料油の供給量を取得する。販売代金算出部は供給量に販売単価を乗じて算出し、表示部は算出された販売代金を表示する。支払い処理部は、現金や、クレジットカード、デビットカード、などで支払いを受け、印刷部で領収書を発行する。通信部は、ＰＯＳ端末５０で処理した販売の記録を単価設定部４０など外部の機器へ送信する。
【００１７】
さらにＰＯＳ端末５０は、書き換え可能な記録部を有する。この記録部には、ＰＯＳ端末５０が設置されたＳＳの識別情報と、燃料油の販売単価と、が記録されている。
【００１８】
複数のＰＯＳ端末５０には、ＳＳの販売員が直接販売単価を設定するのではなく、単価設定部４０を介して販売単価を設定している。これにより、複数のＰＯＳ端末５０に一括して販売単価が設定される。
【００１９】
ＳＳの販売員は単価設定部４０を操作して単価設定部４０に、例えば図２に示したようなデータを入力する。単価設定部４０は、入力されたデータに基づき、ＰＯＳ端末５０の記録部に販売単価を記録させる。ＰＯＳ端末５０は記録部に記録された販売単価を使って燃料油の販売を行う。図２は、ＡＡＡというＳＳにて、２０１９年１月２１日から２０１９年１月２６日までに、販売員が単価設定部４０に入力したデータをまとめて例示している。
【００２０】
図２に示したように、販売員は、入力日時、適用日時とともに、レギュラー、軽油、ハイオクのそれぞれについて、会員用価格と一般用価格を入力する。処理ＩＤは、入力した日時順に割り振られる番号である。単価設定部４０は、処理ＩＤ順に処理を実行する。入力日時とは、単価設定部４０に該データが入力された日時である。適用日時とは、入力された販売単価が適用される開始日時である。適用日時が入力されなかった場合には、単価設定部４０が適用日時に入力日時の値を書き込む。
なお、適用日時において給油の準備をしている又は給油中の場合は、給油後であって、次のユーザ利用前に上記入力が行われるようにすればよい。
【００２１】
なお、図示した例においては、会員用価格と一般用価格しか表示しなかったが、現金会員、クレジットカード会員、など各種ユーザの等級付けに応じた価格設定がなされていてもよい。また、レギュラー、軽油、ハイオクの他に灯油の価格が入力されるように構成されていてもよい。
【００２２】
なお、以降の説明において、特定の処理ＩＤに関連付けられた入力日時、適用開始日時、各種販売単価で構成される一群のデータをレコードと呼ぶことがある。例えば、図２の処理ＩＤ１のレコードは、２０１９年１月２１日の８時に、即時に適用される販売単価をＰＯＳ端末５０に設定したことを示している。
【００２３】
なお、図２においては、適用日時にカッコ（）が付されている値は、販売員が適用日時を入力せず、単価設定部４０が書き込んだことを示している。処理ＩＤ６は、販売員が適用日時を入力したことを示している。処理ＩＤ１など、販売員が適用日時を入力しなかった場合（あるいは適用日時に現在日時を入力した場合）、入力された販売単価が入力日時からすぐにＰＯＳ端末５０に反映される。
【００２４】
このように、本実施形態において、ＳＳの販売員は、ＰＯＳ端末５０にすぐに適用される販売単価を設定する他に、将来の日時から適用される販売単価を予め入力しておくことができる。例えば、予め特売キャンペーンをする日時と販売単価が設定されている場合である。この場合、販売員は、販売単価と、該販売単価が適用される適用日時とを単価設定部４０に入力する。処理ＩＤ６は、２０１９年１月２４日の１７時に販売単価を単価設定部４０に入力したが、すぐにはこの販売単価がＰＯＳ端末５０に設定されず、この販売単価は２０１９年１月２５日の８時から適用される。単価設定部４０は、この適用日時まで処理を待ち、適用日時になったらＰＯＳ端末５０に販売単価を設定する。
【００２５】
図３は、メインサーバ１０およびデータサーバ３０のブロック図である。図３に示すように、メインサーバ１０は、単価取得部１１と、指定ＳＳ取得部１２と、単価送信部１３と、を備えている。単価取得部１１は、ＰＯＳ端末５０または単価設定部４０から、サービスステーションの識別情報と、燃料油の販売単価と、を取得する。指定ＳＳ取得部１２は、ユーザ端末２０から、販売単価の提供を受けたいサービスステーションを示す指定サービスステーションを特定可能な情報を取得する。単価送信部１３は、記録部３０から、指定ＳＳ取得部１２が取得した特定の指定サービスステーションに対応する販売単価を特定しユーザ端末２０へ送信する。
また、データサーバ３０は、単価取得部１１が取得したサービスステーションの識別情報と販売単価を記録する記録部を構成している。
【００２６】
図４は、メインサーバ１０が販売単価データベースを更新する処理を示すフローチャートである。メインサーバ１０は、単価設定部４０から取得したレコードを用いて、図５に示す販売単価データベースを更新する。販売単価データベースは、図５に示したように、ＳＳ毎に、現在適用されている販売単価を記録したデータベースである。
【００２７】
図４に示すようにメインサーバ１０は、前回処理から所定時間経過しているか否かを判断する（ステップＳ０１）。例えばメインサーバ１０は、一時間おきに販売単価データベースを更新するように構成されている。所定時間は、一時間より短い間隔でもよいし、一時間より長い間隔でもよい。間隔が短すぎると、メインサーバ１０や単価設定部４０に負荷がかかり過ぎるので、１０分以上の間隔を設けるのが好ましい。間隔が長すぎると、後述するユーザへ提供する販売単価が実際と乖離する恐れがあるため、間隔は１２時間以内に設定するのが好ましい。以下の例では、メインサーバ１０は、ある日の０：００から１時間おきにステップＳ０１を判定するものとする。
【００２８】
次にメインサーバ１０は、予約反映処理を行う（ステップＳ０２）。なお、予約反映処理については、図６および図７を用いて後に詳述する。
【００２９】
次にメインサーバ１０は、単価設定部４０へ問い合わせ信号を送信する（ステップＳ０３）。単価設定部４０は、メインサーバ１０から問い合わせ信号を受信すると、前回から送信していない未送信のレコード（以降、更新レコードと呼ぶ）を、単価設定部４０が設置されているＳＳを特定可能な識別情報（以降、ＳＳＩＤと呼ぶ）とともにメインサーバ１０へ送信する。メインサーバ１０は、単価設定部４０からこの更新レコードとＳＳＩＤを取得する（ステップＳ０４）。
【００３０】
次にメインサーバ１０は、ＳＳ毎に、取得した更新レコードが一つ以上あるか否かを判定する（ステップＳ０５）。更新レコードが一つもなければ（ステップＳ０５：Ｎｏ）、メインサーバ１０は処理を終了する。更新レコードが一つ以上ある場合（ステップＳ０５：Ｙｅｓ）、メインサーバ１０は次のステップＳ０６に進む。
例えば、２０１９年１月２４日の９時にメインサーバ１０が図４のフローチャートを実行した場合、その一時間前までの間に、図２よると処理ＩＤ４，５が新たに単価設定部４０へ入力されている。このため、処理ＩＤ４，５が更新レコードとなる。
【００３１】
次にメインサーバ１０は、更新レコードに、将来の適用日時を含むレコードが含まれるか否かを判定する（ステップＳ０６）。
更新レコードに将来の適用日時を含むレコードが含まれていない場合（ステップＳ０６：Ｎｏ）、メインサーバ１０は、入力日時と適用日時が一致しているレコードのうちで、入力日時が最も新しいレコードで販売単価データベースを更新する（ステップＳ０７）。
【００３２】
図５に示したように、販売単価データベースは、ＳＳＩＤと、最終更新日時と、販売単価を含んでいる。最終更新日時とは、メインサーバ１０が当該ＳＳについて最新の販売単価を確認した日時である。
【００３３】
例えば上記の例において、処理ＩＤ４，５には、将来の適用日時が含まれていない。そこで処理ＩＤ４，５のうち処理ＩＤ５の入力日時が最も新しいので、図５に示したように、処理ＩＤ５の販売単価で販売単価データベースのＳＳＩＤ：ＡＡＡの販売単価の値を更新する。メインサーバ１０は２０１９年１月２４日の９時にこの処理を実行したので、２０１９年１月２４日の９時を最終更新日時としている。
なお、メインサーバ１０が処理した日時を最終更新日時としてもよいし、入力日時や適用日時を最終更新日時としてもよい。
【００３４】
更新レコードに将来の適用日時を含むレコードが含まれている場合（ステップＳ０６：Ｙｅｓ）、メインサーバ１０は、将来の適用日時を含むレコードを変更予約データベースに書き込み（ステップＳ０８）、ステップＳ０７に進む。
例えば、２０１９年１月２４日の１８時にメインサーバ１０が図４のフローチャートを実行した場合、処理ＩＤ６のレコードが更新レコードに該当する。また、処理ＩＤ６は、将来の適用日時を含んでいる（ステップＳ０８：Ｙｅｓ）。そこで、処理ＩＤ６のレコードを、図６に示すように変更予約データベースに記録する。この変更予約データベースは、後述する予約反映処理（ステップＳ０２）で用いられる。
【００３５】
なお、ステップＳ０５〜ステップＳ０８の処理はＳＳ毎に行う。例えばメインサーバ１０は、ＳＳＩＤがＡＡＡのレコードについてステップＳ０５〜Ｓ０８を実行しこれが終了すると、次にＳＳＩＤがＢＢＢのレコードについてステップＳ０５〜Ｓ０８を実行していき、全てのＳＳＩＤについてステップＳ０５〜Ｓ０８を行う。
【００３６】
次に図６と図７を用いて、予約反映処理（ステップＳ０２）について詳述する。図６は、上述したように、変更予約データベースを示す。図７は、メインサーバ１０が実行する予約変更処理のフローチャートである。
【００３７】
前回処理から所定時間経過したら（ステップＳ０１：Ｙｅｓ）、メインサーバ１０は、変更予約データベースから記録されているレコードを読み出す（ステップＳ１１）。
次にメインサーバ１０は、読み出したレコードの中に、所定時間前から現在までに適用日時を迎えたレコードがあるか否かを判定する（ステップＳ１２）。
所定時間前から現在までに適用日時を迎えたレコードがなければ（ステップＳ１２：Ｎｏ）、メインサーバ１０はステップＳ０３へ進む。
【００３８】
所定時間前から現在までに適用日時を迎えたレコードがあると（ステップＳ１２：Ｙｅｓ）、メインサーバ１０は該当するレコードの中から適用日時が最も新しいレコードで販売単価データベースを更新する（ステップＳ１３）。さらにメインサーバ１０はこの販売単価データベースを更新するために用いたレコードを変更予約データベースから削除し（ステップＳ１４）、ステップＳ０３へ進む。
例えばメインサーバ１０が、２０１９年１月２４日の１９時に処理を実行すると、ステップＳ１１において処理ＩＤ：Ｘ０１のレコードを読み出す。処理ＩＤ：Ｘ０１の更新日時は将来の日時であるため、販売単価データベースを書き換えずに、ステップＳ０３へ進む。
【００３９】
このように更新される販売単価データベースを使って、メインサーバ１０は、ユーザ端末２０から特定のＳＳについての販売単価の問い合わせを受けると、販売単価データベースを参照して販売単価をユーザ端末２０に送信するように構成できる。
【００４０】
メインサーバ１０は、ユーザ端末２０から、販売単価の提供を受けたいＳＳのＳＳＩＤを取得する指定ＳＳ取得部１２を有する。また、メインサーバ１０は、対応するＳＳＩＤの販売単価を特定し、ユーザ端末２０に送信する単価送信部１３を有する。
単価送信部１３は、ユーザ端末２０からユーザの販売単価を知りたいＳＳのＳＳＩＤを取得し、データサーバを参照して取得したＳＳＩＤに対応する販売単価を特定し、ユーザ端末２０へ送信する。
【００４１】
本実施形態によれば、メインサーバ１０は、単価設定部４０から取得した情報に基づき、販売単価データベースを所定時間おきに更新している。この販売単価データベースは、実際に燃料油を販売する機器であるＰＯＳ端末５０に販売単価を設定する機械である単価設定部４０から取得したデータに基づき更新されている。燃料油の販売料金は、ＳＳの都合によって日や時間によって細かく変動するが、このような変動を反映させた正確な燃料油の販売単価をユーザに通知することができる。これにより最新の販売単価をより正確にユーザに伝えることができる。また、ユーザがＳＳに直接出向くことなく、ユーザ端末によって販売単価を知ることができる。このように、本実施形態に係るシステムおよび方法によれば、ユーザの利便性が高められている。
【００４２】
なお、上述した実施形態では、メインサーバ１０が単価設定部４０に問い合わせる構成を説明したが、これに限られない。単価設定部４０に報告間隔を設定されており、単価設定部４０が定期的にメインサーバ１０へデータを送信するように構成されていてもよい。
【００４３】
また、上述した実施形態では、将来適用される販売単価に関するレコードについてもメインサーバ１０が取得する構成を説明したが、本発明はこれに限られない。例えば、単価設定部４０が、将来適用される販売単価に関するレコードはメインサーバ１０に送信せず、適用日時を迎えて単価設定部４０が販売単価をＰＯＳ端末５０に設定した時に、販売単価とその設定日時をメインサーバ１０に送信するように構成してもよい。
【００４４】
また上述した構成では、メインサーバ１０が、単価設定部４０から販売単価等のデータを取得する機能と、ユーザ端末２０へ販売単価を配信する機能とを併せ持つものとして説明したが、本発明はこれに限られない。メインサーバ１０が、第一メインサーバと、第一メインサーバとは異なる第二メインサーバとからなり、第一メインサーバが単価設定部４０から販売単価等のデータを取得する機能を実現し、第二メインサーバがユーザ端末２０へ販売単価を配信する機能を実現するように構成してもよい。
【００４５】
上述した実施形態において、指定ＳＳ取得部は、ユーザ端末２０から、ユーザに選択されたサービスステーションを示す指定サービスステーションの識別情報を取得するように構成できる。
例えばユーザ端末２０には、複数のサービスステーションが表示されており、指定ＳＳ取得部はユーザが選択したサービスステーションに対応するＳＳＩＤを取得するように構成してもよい。
【００４６】
また上述した実施形態において、指定ＳＳ取得部は、ユーザ端末２０から、ユーザ端末２０の現在位置、または、ユーザ端末２０の現在位置から所定距離以内に属する一つ以上のサービスステーションを示す指定サービスステーションの識別情報を取得するように構成してもよい。
例えばユーザ端末２０は、ＧＰＳなどを用いてユーザ端末２０の現在位置を特定し、現在位置から１ｋｍ以内といった所定距離以内に属する一つ以上のＳＳを、ユーザが販売単価を知りたいＳＳだと特定してもよい。
あるいはこれに代えて指定ＳＳ取得部は、ユーザの現在位置の情報そのものを取得し、メインサーバ１０は取得した現在位置から最も近くに位置するＳＳを、ユーザが販売単価を知りたいＳＳだと特定してもよい。
【００４７】
また上述した実施形態において、指定ＳＳ取得部は、一つ以上の指定サービスステーションの識別情報を取得し、単価送信部は、指定サービスステーションで設定されている最も安い販売単価を特定し、最も安い販売単価が設定されているサービスステーションの識別情報と販売単価を、ユーザ端末２０へ送信するように構成してもよい。
【００４８】
この実施形態によれば、システム１は、ユーザが複数のＳＳのうちでどこの販売単価が最も安いかを知りたい場合に、最も安い販売単価を設定しているＳＳを通知することができる。
【００４９】
また上述した実施形態において、単価取得部は、所定時間間隔で、単価設定部４０またはＰＯＳ端末５０からサービスステーションの識別情報と販売単価とを取得するように構成してもよい。
所定時間間隔は、１０分以上、１２時間以内に設定することが好ましい。
【００５０】
また上述した実施形態において、記録部は、サービスステーションの識別情報と販売単価を取得した取得日時または販売単価が適用された適用日時とともに、サービスステーションの識別情報と販売単価とを記録し、単価送信部は、取得日時または適用日時とともに販売単価をユーザ端末２０に送信するように構成してもよい。
例えば、メインサーバ１０は、図５の最終更新日時とともに販売単価をユーザ端末２０に送信する。これにより、ユーザは、システム１から提供される販売単価が何時更新された情報に基づいているかを把握することができる。
【００５１】
＜変形例＞
なお、上述した実施形態では、図１に示したように、メインサーバ１０は単価設定部４０から販売単価を取得する構成を説明した。本発明はこの例に限られない。図８は、本発明の変形例に係る燃料油の販売単価提供システム１Ａの全体構成図である。図８に示したように、メインサーバ１０はＰＯＳ端末５０から直接、ＰＯＳ端末５０が設置されているＳＳＩＤと、販売単価を取得するように構成してもよい。
【００５２】
例えばＰＯＳ端末５０の通信部が、メインサーバ１０と通信可能に構成されており、ＰＯＳ端末５０の記録部に記録されている販売単価とＳＳＩＤをメインサーバ１０に送信するように構成されていてもよい。この場合、ＰＯＳ端末５０の記録部の販売単価が書き換えられるときに、ＰＯＳ端末５０が更新された販売単価をメインサーバ１０に送信するように構成することができる。
【００５３】
このような構成によっても、実際に販売単価が設定されているＰＯＳ端末５０から取得した情報に基づいて販売単価データベースが更新されているため、正確な販売単価をユーザへ提供することができる。
【００５４】
以上、本発明の実施形態について説明をしたが、本発明の技術的範囲が本実施形態の説明によって限定的に解釈されるべきではないのは言うまでもない。本実施形態は単なる一例であって、特許請求の範囲に記載された発明の範囲内において、様々な実施形態の変更が可能であることが当業者によって理解されるところである。本発明の技術的範囲は特許請求の範囲に記載された発明の範囲及びその均等の範囲に基づいて定められるべきである。
【符号の説明】
【００５５】
１，１Ａ  販売単価提供システム
１０  メインサーバ
１１  単価取得部
１２  指定ＳＳ取得部
１３  単価送信部
２０  ユーザ端末
３０  データサーバ
４０  単価設定部
５０  ＰＯＳ端末
【図１】
2020181432.tif 000003
【図２】
2020181432.tif 000004
【図３】
2020181432.tif 000005
【図４】
2020181432.tif 000006
【図５】
2020181432.tif 000007
【図６】
2020181432.tif 000008
【図７】
2020181432.tif 000009
【図８】
2020181432.tif 000010